(57)【要約】      （修正有）【課題】野外の路面に散乱しているゴミや小石等を掴み取るだけでなく、路面に残ったゴミや落ち葉等を簡単に掃いて清掃する事が可能なほうき付トングを提供する。【解決手段】ほうき付トングは、一対の把持部４を有するトング１において、弾力性により把持部の先端同士が離れるように把持部の基端部５を連結してなり、把持部の先端部から基端部側へ向けて、基端部の外側に先端部側が短く基端部側が長く形成されたほうき２を備える。【選択図】図１
0003190181.tif 000002
【実用新案登録請求の範囲】
【請求項１】
ゴミや小石等を把持する一対のトングを有し、弾力性により前記把持部の先端同士が離れたように当該把持部の基端部を連結してなり、前記把持部の先端部から基端部の外側に先端部が短く基端部に向かって長くほうきを備えたことを特徴とするほうき付トング。
【考案の詳細な説明】
【技術分野】
【０００１】本考案は、野外の路面に散乱しているゴミや小石等を掴み取るトングと、路面に残ったゴミや落ち葉等を簡単に掃いて清掃する事が可能なほうき付トングに関するものである。
【背景技術】
【０００２】野外の路面に散乱しているゴミや小石等を掴み取るトングが一般的に知られている。ゴミや小石等を除去した後、落ち葉や除去できなかった小さなゴミ等は、ほうきで掃いて清掃している。このためトングとほうきは別々な目的を有する清掃道具として知られている。【０００３】非特許文献１には、ほうきの柄の先端部に弾性を有する一対の対向するトングを形成したほうきが開示されている。
【先行技術文献】
【０００４】
【非特許文献１】公開実用新案公報  平１−１７５７５４
【考案の概要】
【考案が解決しようとする課題】
【０００５】従来のトングは、ゴミや小石等を掴む、あるいは掴んでごみ袋などしまうことや他の場所に除去することを目的とするものであって、路面に残った落ち葉や小さく軽いゴミを処理するものではない。このため、路面に残った落ち葉や小さく軽いゴミは別の清掃道具であるほうきを使って掃いて清掃をしている。【０００６】ほうきとトングが一体化されたものが考案されているが、対向する位置に形成されているため、作業効率が悪く使用快適性が低下しているという欠点がある。【０００７】本考案は、上記問題に鑑みてなされたもので、トング先端の両端にほうきを取り付けることにより、人間の作業姿勢を変えることなく簡単にゴミを掴んだり掃いたりすることが可能であって、簡素な構造であり低価格で使用用途の広く、作業効率や使用快適性を高めたほうき付トングを提供することを目的とする。
【課題を解決するための手段】
【０００８】本考案であるほうき付トングは、上記課題を解決するためになされたものであり、ゴミや小石等を把持する一対のトングを有し、弾力性により把持部の先端同志が離れたように当該把持部の基端部を連結してなるトングであって、前記把持部の先端部から基端部の外側に先端部が短く基端部に向かって長くほうきとを備えたことを特徴としている。【００１１】このような構成によれば、トングでゴミや小石等を掴むこと、ゴミや小石を掴みながらほうきで左右方向に落ち葉等を掃いて清掃することができること、ゴミや小石を掴まないでトング１を閉口した状態ではほうきの役目をするため、一つのトングで三つの利用方法を選択することができる。
【考案の効果】
【００１２】本考案は以上に説明したように、トングでゴミや小石等を掴むだけでなくゴミや小石を掴みながらほうきで左右方向に落ち葉等を掃いて清掃することができる。またゴミや小石を掴むことなくトングを掴むとほうきの役目をするため、落ち葉等を掃いて清掃する清掃用具として利用することができる。【００１３】そして、把持部先端にほうきが斜めの角度を持って取り付けられているので、作業時の姿勢を変えることなく、ゴミや小石を掴み落ち葉等を掃いて清掃することができ、作業効率や使用快適性が高い。
【図面の簡単な説明】
【００１４】
【図１】本考案の実施の形態例の全体斜視図である。
【図２】本考案の実施の形態例の側面図である。
【図３】本考案のほうき付きトングで小石を把持部で把持する際の斜視図である。
【図４】本考案のほうき付きトングで小石を把持部で把持する際の斜視図である。
【図５】本考案のほうき付きトングで小石を把持部で把持し、落ち葉等を掃いて清掃する際の斜視図である。
【図６】本考案のほうき付きトングでものを把持部で把持しないで、落ち葉等を掃いて清掃する際の斜視図である。
【図７】本考案のほうき取付基底部の全体斜視図である。
【考案を実施するための形態】
【００１５】図１は、ほうき付トングＡであって実施の形態例の全体斜視図を示し、ステンレス等の水に強く、錆び難い素材で形成され、ゴミや小石等を把持する一対のトング１を有し、当該把持部４の基端部５に連結し、基端部５の弾力性により把持部４の先端同志が離れたようになるトング状に形成されている。
【００１６】把持部４の先端部から基端部５に向かって、一対のトング１の外側から先端部が短く基端部５に向かって長くほうき２を形成し、ほうき２の基底部６は取付ネジ３によりトング１に取り付けられている。
【００１７】図２は本考案のほうき付きトングを使用して地面のゴミ等を清掃する際の斜視図である。ほうき部は地面に対し６０°の取付角度を持っており長さは最大１５０ｍｍ程度である。
【００１８】図３及び図４は、トング１でゴミや小石等を掴むことができ、図５はゴミや小石を掴みながらほうきで左右方向に落ち葉等を掃いて清掃することができ、ゴミや小石を掴まない場合はトング１を閉口した状態ではほうきの役目をするため、一つのトングで三つの利用方法を選択することができる。
【００１９】また、把持部先端にほうきが斜めの角度を持って取り付けられているので、作業時の姿勢を変えることなく、ゴミや小石を掴み落ち葉等を掃いて清掃することができ、作業効率や使用快適性が高い。
【００２０】なお、本考案は上記実施の形態例に限られるものではなく、トング１の材質はプラスチックに適宜変更されてもよい。また、ほうき２の材質をブラシ、金属や軟質プラスチックに適宜変更することやほうき２の部分の幅も適宜変更しても良い。
【産業上の利用可能性】
【００２１】本考案にかかるほうき付トングＡは工業的に安価で量産することが可能で、トング１の全体の長さ及びほうき２の長さや角度を変更すれば、室内で利用するほうき付トングＡとしても活用できるため、日常生活上の使用快適性が高まる。
【符号の説明】
【００２２】Ａほうき付トング
Ｂ石
１トング
２ほうき部
３取付ネジ
４把持部
５基端部
６基底部
７取付穴
【図１】
0003190181.tif 000003
【図２】
0003190181.tif 000004
【図３】
0003190181.tif 000005
【図４】
0003190181.tif 000006
【図５】
0003190181.tif 000007
【図６】
0003190181.tif 000008
【図７】
0003190181.tif 000009
【手続補正書】
【提出日】平成26年2月7日(2014.2.7)
【手続補正１】
【補正対象書類名】実用新案登録請求の範囲
【補正対象項目名】請求項１
【補正方法】変更
【補正の内容】
【請求項１】
ゴミや小石等を把持する一対の把持部を有し、弾力性により前記把持部の先端同士が離れたように当該把持部の基端部を連結してなり、前記把持部の先端部から基端部側へ向けて、把持部の外側に先端部側が短く基端部側が長く形成されたほうきを備えたことを特徴とするほうき付トング。